(57)【要約】【課題】    従来のテレビのデジタル放送は、操作が複雑で、老人などには不向きであった。しかも、操作性の感度が鈍く、操作する人には付いていけないものであった。そこで、ケーブルテレビだでけでも、アナログ放送を残すもので、アナログ放送をそのまま続けると、今までどおりの視聴ができるものである。【解決手段】    ケーブルテレビは、デジタル放送をアナログ放送に変換し、リモコン（１）は操作する最低の物しか具備しておらず、電源ボタン（１ｂ）と、選局するボタン（１ａ）と、ボリュームボタン（１ｃ）だけで操作し、リモコン（１）には耳の不自由な人のために、スピーカ（３）を取り付けていた。【選択図】  図１
2012090191.tif 000002
【特許請求の範囲】
【請求項１】
ケーブルテレビの送信局は、デジタル放送（７）をアナログ放送（６）に変換し、
老人用として、２０個前後のチャンネルを選び、
該チャンネル群をカテゴリーとし、数個用意し、
視聴者は、自分の好きなカテゴリーを選び、契約することができ、
前記アナログ放送（６）だから操作が早く、取扱が簡単であることを特徴とするテレビ。
【請求項２】
リモコン（１）は、コード（２）を介してテレビ（５）に取り付けてあり、
該リモコン（１）には、スピーカ（３）が取り付けてあることを特徴とするテレビ。
【請求項３】
リモコン（１）は選局するボタン（１ａ）と、テレビ（５）の電源の電源ボタン（１ｂ）と、ボリュームを調節するボリュームボタン（１ｃ）だけしか取り付けてないことを特徴とするテレビ。
【請求項４】
テレビ（５）は、電源ボタン（１ｂ）を入れた時からオフタイマー（４）が作動し、
リモコン（１）の全ての操作で、秒読みが初期化されることを特徴とするテレビ。
【発明の詳細な説明】
【技術分野】
【０００１】
本発明は、老人のために操作が簡単なテレビに関するものである。
【背景技術】
【０００２】
従来の、地上波デジタル放送は、番組の放送局が数百入るものであった。そのデジタル放送の実用化に伴い、映像及び音声コンテンツにとどまらず、テキストや図形等駆使した多様なコンテンツの放送が可能になり、従来のアナログ放送に比較して高機能な放送サービスが提供されている。一方、放送サービスの高機能化に伴い、リモトコントローラ（以下リモコンと称する）の操作が複雑になり、不慣れな視聴者にとって大きな障害となっている。
【０００３】
例えば、データ放送では、コンテンツが階層的に配置されており、所望のコンテンツを視聴する場合、複数のリモコンキーを順次押し下げることにより視聴されるが、視聴を希望するコンテンツが存在する階層が深くなればなるほど、リモコンキーの操作が複雑になってしまう。例えば「広島県の天気の警報・注意情報」を視聴する場合、下のキー操作を行う必要があり、リモコンのキー操作が複雑である。３．データ、赤、決定、矢印下を７回、決定、矢印下、決定  と押さなければならない。
【０００４】
リモコン操作の簡単化を目的としたリモコン装置として、テレビ操作のコマンドを登録操作キーと複数のコマンドを記録する記録部とを具え、ユーザの指示により記録したコマンドを順次出力し、テレビ受信機をユーザの指定した状態に設定するリモコン装置がある。  さらに、ボタン操作以外の方法で、コンテンツを選局するリモコン装置として、バーコード読取手段を有し、テレビ受信機へＶＴＲ等に対する命令や情報をコード化したバーコードを読み取って赤外線信号として送信するリモコン装置があった。
【先行技術文献】
【特許文献】
【０００５】
【特許文献１】特開２００７−６７９８３
【特許文献２】特開平１１−２０３９８５
【発明の概要】
【発明が解決しようとする課題】
【０００６】
従来のデジタル放送は、番組の放送局が数百入るもので、双方向に受信ができる物であった。しかし大半のユーザは、そんなことは望んでいなく、デジタル放送の欠点を言えば作動が遅く、操作が複雑であった。とくに老人は、操作が難しく、アナログ放送の方が良かった。
【０００７】
欠点の１つ、反応が遅いことは、最初に電源を入れると画面が明るくなるまでに５秒以上かかってしまう。すると、スイッチの反応速度が遅いためスイッチが入っていないのと勘違いして、またスイッチを押すと、実際にはスイッチはＯＦＦになっており、テレビを見ることができない。また、電源を入れるとＬＥＤ電球が赤色から黄色に変わるが、老人の目は薄くなっているため、その判断は難しいものであった。
【０００８】
選局をするときに時間がかかる。チャンネルを変えるとき、画面が一旦消えてから選局した番組に変わるまでに２秒かかってしまう。この時、アナログ放送では０．１秒デジタル放送変わり、チャンネルを変えることが好きな人は、普通１分間に３０回もチャンネルを変えていた。それは、見たい番組を探すため、どうしてもチャンネルを変えないとできなかった物である。しかし、デジタル放送では２秒かかってしまうから、１分間に精々５局を選局するのが精一杯であった。
【０００９】
世の中の人（一般消費者）は、アナログ放送までは操作できても、デジタル放送の操作は難しく、一般の老人には無理であった。その一つの原因は、機能が沢山ついているものが、良い品物だと信じているから、スイッチの数が多くなっていた。私の家では、テレビの音がおかしいと部屋を覗いて見ると、８０歳の両親が、音声多重の英語で番組を見ていた。この様なことが無いように、リモコンのスイッチを接着剤でくっつけることも考えた。テレビ、ＤＶＤなど、使う人に優しい製品を、作って欲しいものである。
【００１０】
また、無線のスピーカーが付いたリモコンが販売されているが、無線であるため電池の交換が面倒であった。老人などは、若い時は電池交換が簡単にできていたが、年をとると乾電池の挿入する方向が分からず、電池の方向も間違う。また、従来のリモコンは方向を、赤外線を受ける機器の所へ向けて、リモコンを操作しなければ成らなかった。そのため、２点の問題があった。
【００１１】
そこで、本発明のテレビは、老人に優しい物で、リモコンには線が付いている。そのリモコンには、スピーカと、選局するボタンと、電源と、ボリュームだけしか取り付けていないことで、操作が簡単である。しかも、スピーカが付いていることで耳元にあり、聞き取り易い。そして、アナログ放送で、反応の早く、著作権の問題も無いため録画も自由にできるテレビを提供するものである。
【課題を解決するための手段】
【００１２】
上記目的を達成するために、テレビのケーブルテレビの送信局は、デジタル放送（７）をアナログ放送（６）に変換する。そして老人用として、２０個前後のチャンネルを選び、該チャンネル群をカテゴリーとし、数個用意する。そして視聴者は、自分の好きなカテゴリーを選び、契約することができる。したがって、アナログ放送（６）だから操作が早く、取扱が簡単であることで目的を達成した。
【００１３】
請求項２の、テレビのリモコン（１）は、コード（２）を介してテレビ（５）に取り付けてあり、そのリモコン（１）にはスピーカ（３）が取り付けてあることで目的を達成した。
【００１４】
請求項３の、テレビのリモコン（１）は、選局するボタン（１ａ）と、テレビの電源の電源ボタン（１ｂ）と、ボリュームを調節するボリュームボタン（１ｃ）だけしか取り付けてないことで目的を達成した。
【００１５】
請求項４のテレビ（５）は、電源ボタン（１ｂ）を入れた時からオフタイマー（４）が作動し、リモコン（１）の操作で、秒読みが初期化されることで目的を達成した。
【発明の効果】
【００１６】
本発明のテレビ、次のような効果がある。
（イ）ケーブルテレビは有線なので、取扱が簡単なアナログ放送を続けることができる。（ロ）リモコンに、余計なものを取り付けていないため、取扱が簡単である。
（ハ）リモコンにスピーカを取り付けたため、スピーカが耳元にあることで聞き取り易い。（ニ）リモコンにコードを取り付けたため、リモコンの電池を交換する必要がない。
（ホ）リモコンにコードを取り付けたため、方向を気にせず操作ができる。
（ヘ）ケーブルテレビの送信局は、老人用として、２０チャンネル前後を選局する。
（ト）テレビに電源を入れると、オフタイマーが作動し、オフタイマーはリモコンのあらゆる操作で初期化できる。
【図面の簡単な説明】
【００１７】
【図１】図は、テレビと有線のリモコンの模式図である。
【図２】図は、ケーブルテレビの送信局と、ケーブルテレビのブロック図である。
【図３】図は、無線のリモコンの正面図である。
【図４】図は、テレビの中を現したオフタイマーのブロック図である。
【発明を実施するための最良の形態】
【００１８】
本発明のテレビは、ケーブルテレビの送信局は、ケーブルを利用しているため、テレビの放送をデジタル放送（７）に変える必要がない。また、デジタル放送（７）は、操作性が悪く、また操作が複雑で、ただたんにテレビを見たい人に取っては、デジタル放送（７）は不向きである。そこで、デジタル放送（７）をアナログ放送（６）に変換して、そのアナログ放送（６）を老人用として、送信する物である。
【００１９】
そのアナログ放送（６）は、２０個のチャンネルを選別してカテゴリーとし、３通りのカテゴリーの中から送信し、受信者は自分の最も良いカテゴリーを選び、ケーブルテレビの送信局と契約する。それは、放送するチャンネルの数が増えると、老人の場合に番組表を見て、自分の好きな番組に合わす習慣がないため、チャンネルの選局を一つづつ上に押して、チャンネルを選んでいたため、増えると操作が面倒になる。
【００２０】
その訳は、老人は番組票を見る習慣がないため、１つづつ選局するボタン（１ａ）のチャンネルを上か下に移動さし、自分の気に入った番組を見る。そのうち、コマーシャルになると２〜３分が我慢できず、さらに選局するボタン（１ａ）に上を押して選局してしまう。そのため、チャンネル数は２０局ぐらいがよい。
【００２１】
アナログ放送（６）の、ケーブルテレビの送信局は、デジタル放送（７）をアナログ放送（６）に変換し、一方向だけの電波だからホームターミナルが不要で、アナログ放送（６）であるから操作が早く、取扱が簡単である。また、アナログ放送（６）はデジタル放送（７）と違うため、放送の録画がなど、著作権の制約を受けることがない。
【００２２】
請求項２の、テレビのリモコン（１）は、コード（２）を介してテレビ（５）に取り付けてある。そしてそのリモコン（１）には、スピーカ（３）が取り付けてあることで、耳元にスピーカ（３）があることで、耳の不自由な老人の、耳元で音声を流す。音は、距離に対する２乗の反比例をして、音が小さくなるので、スピーカ（３）から近いほど良く聞こえる。
【００２３】
そして、２メートル離れると余り聞こえず、テレビ（５）本体からの音が聞こえる。したがって、耳の不自由な人が、大きい音を部屋中に、騒音としてまき散らすことがない。そのため、部屋全体の音量を下げることができる。またリモコン（１）は、コード（２）が付いているため、電池が不要になった。老人などは、若い時は電池交換が簡単にできていたが、年をとると乾電池の挿入する方向が分からず、また電池の方向も間違う。その様な恥をかかさないためには、コード（２）が必要である。
【００２４】
請求項３の、テレビのリモコン（１）は、選局するボタン（１ａ）と、テレビの電源の電源ボタン（１ｂ）と、ボリュームを調節するボリュームボタン（１ｃ）だけしか取り付けてない。最近のリモコンは、操作するボタンが多すぎて、老人や不慣れな人には扱えなかった。テレビとは、一般の人が見て楽しむものであった。しかし今のテレビは、まる１日の講習を受けて、半分の人がその操作をできるものであったが、本来の目的の娯楽ではない。
【００２５】
したがって、テレビ（５）を一般の消費者に戻すため、テレビ（５）のリモコン（１）には、電源を操作する電源ボタン（１ｂ）と、選局をするためのボタンの選局するボタン（１ａ）と、音声のボリュームを調節するボリュームボタン（１ｃ）だけにした。その代わりに、テレビ（５）本体には初期設定をするスイッチを取り付けていて、それを業者や慣れている人が操作する。このことで、ホテルや旅館など、不特定多数の人にもリモコン（１）の操作に、悩まなくて良い。従来のリモコンは、操作と初期設定ができるようになっていたため、操作するボタンは５０個ぐらいあり、それでも足らず蓋を開けると、また３０個のボタンが付いていて、そのボタンを完全に操作できる人は、何人いるだろう。
【００２６】
請求項４のテレビは、オフタイマー（４）が付いており、暖房気のファンヒーターと同じく、電源ボタン（１ｂ）を入れた時から秒読みが始まり、何もしないとオフタイマー（４）が作動して電源が切れる。ファンヒーターと違うのは、ファンヒーターは３時間延長のボタンを押さないと延長しなかったが、本発明のオフタイマー（４）は、リモコン（１）の操作全部がオフタイマー（４）を延長するボタンと併用して、何も操作しないと、テレビの電源が自動的に切れる。
【００２７】
したがって、リモコン（１）の操作は、全てオフタイマー（４）を初期化するもので、例えば選局するボタン（１ａ）を最後に押した時から秒読みが始まる。このことで、テレビを見ながら寝る習慣の付いている人は、一々オフタイマー（４）をセットする必要がなくなった。また延長ボタンは、ボリュームボタン（１ｃ）は押せば、選局するボタン（１ａ）や、電源ボタン（１ｂ）を押すよりも、そのままの状態で画面を視聴することができる。つまり、ボリュームボタン（１ｃ）の音量が１８であるとき、オフタイマー（４）を操作するために、音量を１７にしても殆ど変わらない。その次の操作をするときに、ボリュームボタン（１ｃ）の＋を押して１８に戻せば良い。
【実施例】
【００２８】
本発明の実施例について、図面を参照して説明する。
図１は、模式図はケーブルテレビ（５）と有線のリモコン（１）を現したものである。そして図２の、ケーブルテレビ（５）の送信局は、電線を利用しているため、テレビの放送をデジタル放送に変える必要がないし、２０１１年にはデジタル放送を、アナログ放送に変換して放送を続ける。
【００２９】
その図は、大きな枠に囲まれた部分はケーブルテレビ会社の送信局である。そのケーブルテレビには「プレミアコース」と「ライトコース」と「エントリーコース」と「老人コース」があり、一般視聴者はデジタル放送（７）で「プレミアコース」と「ライトコース」と「エントリーコース」を視聴している図である。「老人コース」は、デジタル放送（７）をアナログ放送（６）に変換して、「カテゴリー」を３個用意し、その中から「カテゴリー２」を選択して視聴し、老人用テレビ（５）に送られたところである。
最近のテレビでのリモコンは、（お好み）ボタンを押すと、１００個あるチャンネルから２０チャンネル前後を選ぶ方法があるが、操作が面倒になるのでケーブルテレビの会社が選別する。
【００３０】
それはデジタル放送が、操作性が悪く、最初に電源ボタン（１ｂ）を押して、テレビの画面がでるまでに、７〜８秒かかってしまっていた。７〜８秒の時間は、老人など不慣れな人にとっては、充分に不安にさせる時間で、画面が作動しないから再度電源ボタン（１ｂ）を押す。すると、実際には電源ボタン（１ｂ）はＯＦＦになっているので、何時間待ってもテレビ（５）は写らない。そこで、再度ＯＮにするが７〜８秒の時間が待てず、再度電源ボタン（１ｂ）を押すうちに、何が何やら分からない状態になっていた。もしも、このような欠点を直すとしたら、何も写らなくても、画面が明るくなるような心づかいが必要である。
【００３１】
そこで、せめてケーブルテレビだけでもアナログ放送（６）を残すもので、アナログ放送（６）は著作権の問題がないため、ビデオテープが他の機械でも見れる特徴がある。また、ケーブルテレビは老人用として、よく見る番組を番号の若い方にし、２０のチャンネルを視聴者のアンケートで選び、その番組群のカテゴリーを３個作り、その中から選んで契約する。
【００３２】
その図１の模式図は、アナログ放送（６）をしているテレビ（５）と、コード（２）で繋がったリモコン（１）と、そのリモコン（１）にはスピーカ（３）が具備されている、請求項２を表した図である。そのスピーカ（３）は、リモコン（１）に具備されているもので、操作する耳元で音声を流すため、耳の不自由な老人は、テレビ（５）本体から流れる音よりも聞取り易い。そして、そのリモコン（１）には、スピーカ（３）が取り付けてあることで、耳元にスピーカ（３）があり、その部屋全体の音量を下げることができる。
【００３３】
したがって、リモコン（１）にはスピーカ（３）を鳴らす配線が具備されていることは、全ての配線をしても、どうせスピーカ（３）の配線をするのだから、わざわざ赤外線で空中を飛ばす必要がない。しかも、従来のリモコンは、赤外線を飛ばす方向を、赤外線を受ける機器の所へ向けて、リモコンを操作しなければ成らなかったが、本発明は有線なので方向は関係なく、また電池交換をする必要が無い。
【００３４】
また、もう一つの無線リモコン（１ｃ）は、図３で表したものである。その両方のリモコン（１）と無線リモコン（１ｄ）は簡単で、電源ボタン（１ｂ）とボリュームボタン（１ｃ）と選局するボタン（１ａ）からできており、選局するボタン（１ａ）には上昇ボタンが具備されている。したがって、色合いなど最初にする設定は、テレビ（５）本体に具備して、電気店などの店員に、自分の気に入った初期設定をして貰う。
【００３５】
請求項３の、テレビのリモコン（１）と無線リモコン（１ｄ）は、選局するボタン（１ａ）と、テレビの電源の電源ボタン（１ｂ）と、ボリュームを調節するボリュームボタン（１ｃ）だけしか取り付けてない。最近のリモコンは、操作するボタンが多すぎて、老人や不慣れな人には扱えなかった。テレビとは、一般の人が見て楽しむものであったが、今のテレビは、まる１日の講習を受けて、その半分の人が操作をできるものであった。
【００３６】
したがって、テレビ（５）を一般の人に戻すため、不要なスイッチはテレビ（５）本体に移した。このことで、ホテルや旅館など、テレビ（５）の操作が不慣れな人にも、恐れることなくリモコン（１）が扱える。
【００３７】
請求項４のテレビは、１時間で３６００秒のオフタイマー（４）が付いており、電源ボタン（１ｂ）を入れた時から秒読みが始まり、選局するボタン（１ａ）などのリモコン（１）の操作をしないとテレビの電源が、自動的に切れる。したがって、リモコン（１）の操作は、全てオフタイマー（４）を初期化するものである。
【００３８】
例えば、電源ボタン（１ｂ）を入れた時、テレビ（５）の電源に取り付けたオフタイマー（４）は、分かりやすくするために図４のブロック図では、テレビ（５）本体の中にオフタイマー（４）があり、オフタイマー（４）にはボリュームボタン（１ｃ）と選局するボタン（１ａ）が作動して、作動したときのアースの線の間に、オフタイマー（４）を介在して取り付けている。
【００３９】
したがって、電源ボタン（１ｂ）を入れた時に、オフタイマー（４）のスイッチがＯＦＦの状態で書かれているものが、点線のようにＯＮになる。そして、ＯＮになった時から秒読みが始まり、ボリュームボタン（１ｃ）または選局するボタン（１ａ）を押すと、オフタイマー（４）は初期化される。したがって、最後に押した時にオフタイマー（４）は初期化され、また３６００秒の秒読みが始まる。そして、１８０秒前に（オフタイマー  ３分）と画面（５ａ）に表示し、次に１２０秒前に（オフタイマー  ２分）と画面（５ａ）に表示し、最後に６０秒前に（オフタイマー  １分）と画面（５ａ）に表示してから、１分後に電源は切れる。このことで、テレビを見ながら寝る習慣のある人は、一々オフタイマーをセットする必要がなくなった。
【産業上の利用可能性】
【００４０】
この考え方はデジタル放送が、操作性が悪い見本であるが、計算機でも足算と引き算だけの、機械の方が一般人には扱い易い。一般の人は、ルートとか平方根の計算はしない。また、そのような複雑な計算するときは、それができる計算機で計算するので、その計算が付いていること事態が迷惑である。それと同じく、パソコンも起動するまでに、５分かかり、ワードプロセッサが瞬時に作動することと比べれば、文字を印字するだけならワードプロセッサの方がよい。このように、機能を取り付けると良いと思っているのは間違いである。
【符号の説明】
【００４１】
１  リモコン        １ａ  選局するボタン      １ｂ  電源ボタン
１ｃ  ボリュームボタン    １ｄ  無線リモコン
２  コード
３  スピーカ    ４  ＯＦタイマー
５  テレビ      ５ａ  画面
６  アナログ放送      ７  デジタル放送
【図１】
2012090191.tif 000003
【図２】
2012090191.tif 000004
【図３】
2012090191.tif 000005
【図４】
2012090191.tif 000006